(57)【要約】【課題】広範囲の塗布が可能な操作性を向上させた塗布容器を提供する。【解決手段】塗布容器１は、内容液Ｃを収容する収容空間Ｓに連なる筒状の口部２ａを有する容器２と、塗布体１４を有するとともに塗布体１４が収容空間Ｓ内に位置する状態で口部２ａに着脱可能に取付けられる塗布具３と、を備え、塗布具３は、内容液Ｃを貯留する貯留空間Ｘを内側に区画する筒状の外軸１２と、外軸１２の軸方向に沿って貯留空間Ｘに対して進退可能に外軸１２内に保持される内軸２２と、内軸２２を前進させるための操作を受ける操作部３２と、を備え、塗布体１４は、前進する内軸２２に貯留空間Ｘから押出される内容液Ｃを塗布可能である。【選択図】図１
2020036632.tif 000002
【特許請求の範囲】
【請求項１】
内容液を収容する収容空間に連なる筒状の口部を有する容器と、
塗布体を有するとともに前記塗布体が前記収容空間内に位置する状態で前記口部に着脱可能に取付けられる塗布具と、を備え、
前記塗布具は、前記内容液を貯留する貯留空間を内側に区画する筒状の外軸と、前記外軸の軸方向に沿って前記貯留空間に対して進退可能に前記外軸内に保持される内軸と、前記内軸を前進させるための操作を受ける操作部と、を備え、
前記塗布体は、前進する前記内軸に前記貯留空間から押出される内容液を塗布可能である、
塗布容器。
【請求項２】
前記外軸は、前記貯留空間に連なる少なくとも１つの貫通口を有し、
前記内軸の先端部は、先細り形状をなし、
前記塗布体は、前記外軸の外周面に配置されている、
請求項１に記載の塗布容器。
【請求項３】
前記外軸の先端部は、前記貯留空間に面する閉塞壁によって閉塞されている、請求項２に記載の塗布容器。
【請求項４】
前記内軸は、前記外軸の内周面に全周に亘って密接するＯリングを一体に保持している、請求項１〜３のいずれか一項に記載の塗布容器。
【請求項５】
前記操作部は、前記内軸とともに進退可能に前記内軸に連結している、請求項１〜４のいずれか一項に記載の塗布容器。
【請求項６】
前記塗布具は、前記内軸とともに進退可能に前記内軸に連結するとともに前記収容空間内への前記外軸の挿入に伴って前記口部の先端面への当接によって前記内軸を後退させる当接部を備える、請求項１〜５いずれか一項に記載の塗布容器。
【請求項７】
前記塗布具は、前記塗布具を前記口部に取付けるために前記口部の外周面と係合可能な筒壁と前記筒壁から径方向内側に延在する円環状の内向きフランジとを有するキャップ部材と、前記外軸と前記外軸から径方向外側に突出するとともに前記筒壁の内周面と嵌合する嵌合凸部とを有する外軸部材と、前記内軸を有する内軸部材と、前記操作部を有するとともに前記内軸部材と嵌合する操作部材と、を備え、
前記操作部材は、前記内向きフランジに設けられた開口を貫通して前記外軸の軸方向に延在する少なくとも１つの脚部を備え、
前記当接部は、前記少なくとも１つの脚部の先端部である、
請求項６に記載の塗布容器。
【請求項８】
前記内容液は化粧料である、請求項１〜７のいずれか一項に記載の塗布容器。
【発明の詳細な説明】
【技術分野】
【０００１】
本発明は、塗布容器に関する。
【背景技術】
【０００２】
染毛剤、マスカラ、マニキュアなどの化粧料に代表される内容液を収容する容器と、容器の口部に着脱可能に取付けられる塗布具と、を備える塗布容器が知られている（例えば、特許文献１参照）。
【先行技術文献】
【特許文献】
【０００３】
【特許文献１】特開２０１１−９２４０４号公報
【発明の概要】
【発明が解決しようとする課題】
【０００４】
しかし、特許文献１に記載されるような従来の塗布容器では、塗布具によって塗布できる内容液の量が少量であるため、広い範囲に内容物を塗布する際の操作性に改善の余地があった。
【０００５】
本発明は、このような点に鑑み、広範囲の塗布が可能な操作性を向上させた塗布容器を提供することを目的とする。
【課題を解決するための手段】
【０００６】
本発明の一態様に係る塗布容器は、
内容液を収容する収容空間に連なる筒状の口部を有する容器と、
塗布体を有するとともに前記塗布体が前記収容空間内に位置する状態で前記口部に着脱可能に取付けられる塗布具と、を備え、
前記塗布具は、前記内容液を貯留する貯留空間を内側に区画する筒状の外軸と、前記外軸の軸方向に沿って前記貯留空間に対して進退可能に前記外軸内に保持される内軸と、前記内軸を前進させるための操作を受ける操作部と、を備え、
前記塗布体は、前進する前記内軸に前記貯留空間から押出される内容液を塗布可能である。
【０００７】
本発明に係る塗布容器は、
前記外軸が、前記貯留空間に連なる少なくとも１つの貫通口を有してもよく、
前記内軸の先端部が、先細り形状をなしてもよく、
前記塗布体が、前記外軸の外周面に配置されていてもよい。
【０００８】
本発明に係る塗布容器は、前記外軸の先端部が、前記貯留空間に面する閉塞壁によって閉塞されていてもよい。
【０００９】
本発明に係る塗布容器は、前記内軸が、前記外軸の内周面に全周に亘って密接するＯリングを一体に保持していてもよい。
【００１０】
本発明に係る塗布容器は、前記操作部が、前記内軸とともに進退可能に前記内軸に連結していてもよい。
【００１１】
本発明に係る塗布容器は、前記塗布具が、前記内軸とともに進退可能に前記内軸に連結するとともに前記収容空間内への前記外軸の挿入に伴って前記口部の先端面への当接によって前記内軸を後退させる当接部を備えてもよい。
【００１２】
本発明に係る塗布容器は、
前記塗布具が、前記塗布具を前記口部に取付けるために前記口部の外周面と係合可能な筒壁と前記筒壁から径方向内側に延在する円環状の内向きフランジとを有するキャップ部材と、前記外軸と前記外軸から径方向外側に突出するとともに前記筒壁の内周面と嵌合する嵌合凸部とを有する外軸部材と、前記内軸を有する内軸部材と、前記操作部を有するとともに前記内軸部材と嵌合する操作部材と、を備えてもよく、
前記操作部材が、前記内向きフランジに設けられた開口を貫通して前記外軸の軸方向に延在する少なくとも１つの脚部を備えてもよく、
前記当接部が、前記少なくとも１つの脚部の先端部であってもよい。
【００１３】
本発明に係る塗布容器は、前記内容液が化粧料であってもよい。
【発明の効果】
【００１４】
本発明によれば、広範囲の塗布が可能な操作性を向上させた塗布容器を提供することができる。
【図面の簡単な説明】
【００１５】
【図１】本発明の一実施形態に係る塗布容器を示す一部断面側面図である。
【図２】図１に示す塗布容器の縦断面図である。
【図３】図２のＡ−Ａ断面図である。
【図４】図１に示す塗布具を内容液の塗布時の状態で示す縦断面図である。
【図５】図４の状態から内軸を前進させたときの状態を示す縦断面図である。
【図６】図５に示す状態から塗布を終えて塗布具を容器に取付けるときの状態を示す縦断面図である。
【発明を実施するための形態】
【００１６】
以下、図面を参照して、本発明の実施形態に係る塗布容器について詳細に例示説明する。
【００１７】
図１〜図２に示すように、本実施形態に係る塗布容器１は、容器２と塗布具３とを備えている。容器２は、容器本体４と扱き中栓５とで構成されている。塗布具３は、キャップ部材６と外軸部材７と内軸部材８と操作部材９とで構成されている。しかし、容器２及び塗布具３を構成する部材の数は適宜変更が可能である。
【００１８】
容器本体４は、中心軸線Ｏを中心とする円筒状の本体口部４ａと、本体口部４ａの下端部に連なるとともに本体口部４ａより拡径した有底円筒状の胴部４ｂと、を備えている。扱き中栓５は、本体口部４ａの上端面に当接するとともに中心軸線Ｏを中心とする円環状をなすフランジ５ａと、フランジ５ａの内周縁部から垂下する円筒状の内筒５ｂと、を備えている。内筒５ｂの内周面における上下方向中間部には、径方向内側に向けて下方に傾斜する逆円錐台状の扱き筒５ｃの外周縁部が一体に連結している。また、内筒５ｂの外周面における下部には、径方向外側に突出するとともに本体口部４ａの下端部に係止する係止凸部５ｄが設けられている。本実施形態では、本体口部４ａと扱き中栓５とで、容器２の円筒状の口部２ａが構成されている。また、容器２の内側には、口部２ａに連なるとともに内容液Ｃを収容する収容空間Ｓが区画されている。
【００１９】
なお、本実施形態において、容器２について上方とは、口部２ａの軸方向（中心軸線Ｏに沿う方向）に沿って胴部４ｂから口部２ａに向かう方向（図１における上方）を意味し、下方とはその反対方向を意味する。また、中心軸線Ｏを含む平面による断面を縦断面という。
【００２０】
内容液Ｃは、染毛剤、マスカラなどの化粧料である。したがって、本実施形態では、塗布容器１は、化粧料塗布容器である。しかし、内容液Ｃは、化粧料に限られない。
【００２１】
本体口部４ａの外周面には、塗布具３を口部２ａに取付けるためにキャップ部材６と螺合可能な螺合部１０が設けられている。螺合部１０は雄ねじ状をなしている。しかし、本体口部４ａの外周面には、塗布具３を口部２ａに取付けるために螺合以外によってキャップ部材６と係合可能な係合部を設けてもよい。
【００２２】
キャップ部材６は、円筒状の筒壁６ａと、筒壁６ａの内周面における上下方向中間部から径方向内側に水平に延在する円環状の内向きフランジ６ｂと、を有している。筒壁６ａの内周面には、塗布具３を口部２ａに取付けるために口部２ａの螺合部１０と螺合可能な被螺合部１１を有している。
【００２３】
外軸部材７は、中心軸線Ｏを中心とする筒状の外軸１２を有している。外軸１２は、円筒状の外軸本体１２ａと、外軸本体１２ａより拡径するとともに外軸本体１２ａの上端部から上方に延在する外軸延長部１２ｂと、を有している。外軸本体１２ａの下部には、周方向に間隔を空けて配置された複数の貫通口１３が設けられている。外軸本体１２ａの下部における外周面には、内容液Ｃを塗布する塗布体１４が配置されている。塗布体１４はブラシで構成されている。しかし、塗布体１４は、ブラシで構成されるものに限られず、例えば、スポンジ等の含浸体で構成されてもよい。貫通口１３の数は、適宜設定することができ、１つであってもよい。
【００２４】
なお、本実施形態において、塗布具３について上方とは、外軸１２の軸方向（中心軸線Ｏに沿う方向）に沿って外軸１２の先端部から外軸１２の基端部に向かう方向（図１における上方）を意味とし、下方とはその反対方向を意味する。
【００２５】
外軸本体１２ａの内周面は、外軸本体１２ａの下端部から所定高さ部分Ｐまで僅かに漸次縮径する円錐台状をなすとともに、外軸本体１２ａの上端部から所定高さ部分Ｐまで僅かに漸次縮径する逆円錐台状をなしている。外軸本体１２ａの上部における外周面には、塗布具３を口部２ａに取付けた状態で、扱き筒５ｃの上面に接するとともに内筒５ｂの内周面に全周に亘って密接する円環状のシール凸部１２ｃが設けられている。また、外軸本体１２ａの上部における外周面には、塗布具３を口部２ａに取付けた状態で、扱き筒５ｃの内周縁部が接する円環状の環状溝１２ｄが設けられている。
【００２６】
また、外軸部材７は、外軸延長部１２ｂの外周面における下部から径方向外側に突出するとともにキャップ部材６の筒壁６ａの内周面と嵌合する嵌合凸部１５を有している。嵌合凸部１５は、塗布具３を口部２ａに取付けた状態で、キャップ部材６の内向きフランジ６ｂと口部２ａの上端面とに挟まれる円環状の環状部１５ａと、環状部１５ａの外周面に周方向に間隔を空けて配置されるとともに環状部１５ａの外周面から径方向外側に突出する４つの突出部１５ｂと、を備えている。４つの突出部１５ｂは、それぞれ、筒壁６ａの内周面と嵌合している。
【００２７】
図２〜図３に示すように、外軸延長部１２ｂの内周面には、周方向に間隔を空けて配置されるとともに全軸長に亘って延在する４つの縦リブ１６が設けられている。また、外軸延長部１２ｂの内周面における上部には、所定高さ位置において周方向に間隔を空けて配置されるとともに径方向内側に突出する４つの係止凸部１７が設けられている。４つの係止凸部１７は、それぞれ、互いに隣接する２つの縦リブ１６間に亘って周方向に延在する底面視円弧状をなしている。
【００２８】
外軸部材７の下端部には、閉塞部材１８が嵌合している。閉塞部材１８は、外軸１２の下端面と外軸１２の内周面における下端部に接するとともに外軸１２の下端部（先端部）を閉塞する閉塞壁１９を備えている。閉塞壁１９は底面視円形をなしており、その外径は外軸１２の外径と一致している。閉塞壁１９の上面には、中心軸線Ｏを中心とする円筒状の周壁２０が立設されている。周壁２０の外周面には、貫通口１３と同数となる複数の係止凸部２１が設けられている。複数の係止凸部２１は、それぞれ、貫通口１３の下端縁部に係止している。
【００２９】
内軸部材８は、外軸１２の軸方向に沿って移動可能に外軸１２内に保持される内軸２２を有している。内軸２２は、先細り形状の先端部（下端部）を有する円柱状の内軸本体２２ａと、内軸本体２２ａの基端部（上端部）から拡径するとともに上方に延在する円筒状の内軸延長部２２ｂと、を備えている。
【００３０】
内軸本体２２ａの先端部は、図２に示す初期位置において、外軸１２の内周面及び閉塞壁１９の上面と協働することで、内容液Ｃの貯留空間Ｘを区画している。したがって、内軸２２は、外軸１２の軸方向に沿って貯留空間Ｘに対して進退可能である。なお、以下の説明において、内軸２２の前進とは、貯留空間Ｘに対する前進（下降）を意味し、内軸２２の後退とは、貯留空間Ｘに対する後退（上昇）を意味する。
【００３１】
内軸本体２２ａは、外軸１２の内周面に全周に亘って密接するＯリング２３を一体に保持している。Ｏリング２３は、初期位置において、外軸１２の内周面における所定高さ部分Ｐに位置している。Ｏリング２３は、内軸２２の進退に関わらず、内軸２２と外軸１２との間の隙間を通じた貯留空間Ｘと外部との連通を遮断し、外部への液漏れを抑制することができる。
【００３２】
図２〜図３に示すように、内軸延長部２２ｂの外周面には、周方向に間隔を空けて配置されるとともに上部を除く軸長に亘って延在する４つの縦溝２４が設けられている。４つの縦溝２４は、それぞれ、外軸延長部１２ｂの縦リブ１６を受容している。また、内軸延長部２２ｂの外周面における下部には、所定高さ位置において周方向に間隔を空けて配置されるとともに径方向外側に突出する４つの係止凸部２５が設けられている。４つの係止凸部２５は、それぞれ、互いに隣接する２つの縦溝２４間に亘って周方向に延在する底面視円弧状をなしている。初期位置において、４つの係止凸部２５は、それぞれ、外軸延長部１２ｂの係止凸部１７に、内軸２２の後退を規制可能に係止している。
【００３３】
内軸延長部２２ｂの上部は、操作部材９と嵌合している。操作部材９は、中心軸線Ｏを中心とする円板状の天壁２６を有している。天壁２６の下面には、内軸延長部２２ｂに挿入され内軸延長部２２ｂの内周面に接する円筒状の挿入筒２７が垂設されている。天壁２６の外周縁部には、円筒状の上部周壁２８の上端部が一体に連結している。上部周壁２８の内周面には、内軸延長部２２ｂの上部における外周面が嵌合している。上部周壁２８の下端部には、上部周壁２８より拡径された内径と上部周壁２８と一致する外径とを有する円筒状の下部周壁２９の上端部が一体に連結している。
【００３４】
図２〜図３に示すように、下部周壁２９の下端部には、内向きフランジ６ｂに設けられた開口３０を貫通して外軸１２の軸方向に延在する４つの脚部３１が垂設されている。４つの脚部３１は、中心軸線Ｏを中心とし、口部２ａの外径より小さく口部２ａの内径より大きい円周上に間隔を空けて配置されている。したがって、４つの脚部３１の下端面は、口部２ａの上端面に当接可能である。また、内向きフランジ６ｂには、脚部３１の数と同数となる４つの開口３０が設けられている。４つの脚部３１と４つの開口３０とは、それぞれ、底面視円弧状をなしている。４つの脚部３１は、それぞれ、開口３０によって昇降可能に案内される。また、前述した外軸１２の４つの突出部１５ｂは、それぞれ、互いに隣接する２つの脚部３１の間に配置されている。したがって、キャップ部材６、操作部材９及び外軸部材７は、中心軸線Ｏの周りでの互いに対する相対回転が規制されている。また、外軸部材７と内軸部材８とは、縦リブ１６と縦溝２４との係合により、中心軸線Ｏの周りでの互いに対する相対回転が規制されている。
【００３５】
容器本体４は、合成樹脂のブロー成形によって形成されている。扱き中栓５、キャップ部材６、外軸部材７、内軸部材８、操作部材９及び閉塞部材１８は、合成樹脂の射出成形によって形成されている。Ｏリング２３は、ゴム又はエラストマーの射出成形によって形成されている。しかし、これらの材料及び製法は適宜変更が可能である。
【００３６】
図２に示すように、塗布具３が口部２ａに取付けられている状態では、塗布体１４は収容空間Ｓ内に位置している。このとき、塗布体１４は内容液Ｃに浸漬されている。また、貯留空間Ｘには内容液Ｃが浸入している。
【００３７】
次に、使用者は、キャップ部材６の筒壁６ａを摘まんで、図４に示すように塗布具３を口部２ａから取外すことができる。その際、塗布体１４に付着した内容液Ｃが扱き筒５ｃによって適度に扱き落とされるので、内容液Ｃの垂れ落ちを抑制することができる。そして、使用者は、筒壁６ａを摘まんだ状態で、塗布体１４に付着した内容液Ｃを所望の被塗布部に塗布することができる。
【００３８】
塗布体１４に付着した内容液Ｃが減ってくると、使用者は、図５に示すように、操作部材９の天壁２６を押圧することで、内軸２２を前進させて、内軸２２で貯留空間Ｘ内の内容液Ｃを貯留空間Ｘから押出し、塗布体１４に付着させることができる。そして、使用者は、貯留空間Ｘ内から押出した内容液Ｃを塗布体１４によってさらに塗布することができる。このように、天壁２６は、内軸２２を前進させるための押圧操作を受ける操作部３２として機能することができる。操作部３２は、前述した内軸部材８と操作部材９との嵌合により、内軸２２とともに進退可能に内軸２２に連結している。本実施形態によれば、操作部３２を押圧するという簡単な操作により、広範囲の塗布が可能となる。
【００３９】
また、操作部３２への操作によって内軸２２が前進するとき、内軸２２の先端部が先細り形状をなしていることにより、貯留空間Ｘ内の内容液Ｃを、貯留空間Ｘの周方向外側に位置する複数の貫通口１３に、内軸２２の先端部でスムーズに押出すことができる。
【００４０】
内容液Ｃの塗布が完了し、又はさらなる塗布を行う場合には、使用者は、図６に示すように外軸１２を収容空間Ｓ内へ挿入し、塗布具３を口部２ａに取付けることができる。その際、４つの脚部３１の先端部（下端部）は、収容空間Ｓ内への外軸１２の挿入に伴って口部２ａの先端面（上端面）への当接によって内軸２２を後退させる当接部３３として機能することができる。当接部３３は、前述した内軸部材８と操作部材９との嵌合により、内軸２２とともに進退可能に内軸２２に連結している。本実施形態によれば、塗布具３を口部２ａに取付けるための操作以外の特別な操作を行わなくとも、内軸２２を後退させて、図２に示すように貯留空間Ｘ内に内容液Ｃを引き入れることができ、次回の広範囲の塗布に備えることができる。
【００４１】
前述した本実施形態は、本発明の実施形態の一例にすぎず、発明の要旨を逸脱しない範囲で種々変更可能であることはいうまでもない。
【００４２】
前記の実施形態では、塗布具３は４つの脚部３１を備えているが、脚部３１の数は適宜増減が可能である。また、脚部３１を設けない構成に変更することも可能である。
【００４３】
前記の実施形態では、容器２の口部２ａは円筒状をなしているが、口部２ａの形状は円筒状に限られず、角筒状など、円筒状以外の筒状であってもよい。前記の実施形態では、胴部４ｂは有底円筒状をなしているが、胴部４ｂの形状は適宜変更が可能である。
【符号の説明】
【００４４】
１  塗布容器
２  容器
２ａ  口部
３  塗布具
４  容器本体
４ａ  本体口部
４ｂ  胴部
５  扱き中栓
５ａ  フランジ
５ｂ  内筒
５ｃ  扱き筒
５ｄ  係止凸部
６  キャップ部材
６ａ  筒壁
６ｂ  内向きフランジ
７  外軸部材
８  内軸部材
９  操作部材
１０  螺合部
１１  被螺合部
１２  外軸
１２ａ  外軸本体
１２ｂ  外軸延長部
１２ｃ  シール凸部
１２ｄ  環状溝
１３  貫通口
１４  塗布体
１５  嵌合凸部
１５ａ  環状部
１５ｂ  突出部
１６  縦リブ
１７  係止凸部
１８  閉塞部材
１９  閉塞壁
２０  周壁
２１  係止凸部
２２  内軸
２２ａ  内軸本体
２２ｂ  内軸延長部
２３  Ｏリング
２４  縦溝
２５  係止凸部
２６  天壁
２７  挿入筒
２８  上部周壁
２９  下部周壁
３０  開口
３１  脚部
３２  操作部
３３  当接部
Ｃ  内容液
Ｓ  収容空間
Ｏ  中心軸線
Ｐ  所定高さ部分
Ｘ  貯留空間
【図１】
2020036632.tif 000003
【図２】
2020036632.tif 000004
【図３】
2020036632.tif 000005
【図４】
2020036632.tif 000006
【図５】
2020036632.tif 000007
【図６】
2020036632.tif 000008